(57)【要約】      （修正有）【課題】電話機本体とハンドセットからなる電話機において、垂直な壁、柱や、天井、オーバーハングした壁等に取り付けることができ、大きな振動、揺れに対してハンドセットの脱落防止性能の高いハンドセット載置機構を有する電話機を提供する。【解決手段】ハンドセット１の上端部側面及び下端部側面左右に水平な挿嵌溝１１，１２等を凹設する。電話機本体のクレードル２には、受話器載置部上端、送話器載置部下端左右に水平で帯状のレール２１，２２等を張り出す。ハンドセットの挿嵌溝とクレードルのレールとの係合、および、クレードルの内壁面とによりハンドセット１を支持し、かつ、ハンドセットの移動を押さえることでハンドセットを固定載置する。【選択図】図６
0003164264.tif 000002
【実用新案登録請求の範囲】
【請求項１】
ハンドセットを載置するクレードルを備える電話機本体とハンドセットとからなる電話機において、
前記クレードルの受話器載置部上端及び送話器載置部下端に凸設した水平で帯状のレールを形成し、前記ハンドセットの上端部外側面及び下端部外側面に凹設した水平な挿嵌溝を形成し、
前記受話器載置部上端のレールの基部から先端部までの長さは、前記送話器載置部下端のレールの基部から先端部までの長さより長く、
前記クレードルに形成されたレールの各々と前記ハンドセットに形成された挿嵌溝の各々とが係合して前記ハンドセットを前記クレードルに固定することを特徴とするハンドセット載置構造を有する電話機。
【請求項２】
前記クレードルの受話器載置部に設けられるフックスイッチは、前記ハンドセット挿入方向手前を低位とし、奧に進むにつれて高位となる傾斜面もしくは凸面を有することを特徴とする請求項１記載のハンドセット載置構造を有する電話機。
【考案の詳細な説明】
【技術分野】
【０００１】
本考案は、電話機本体と送受話器（以降、ハンドセットと呼ぶ）とからなる固定式の電話機において、振動等によってどの方向から力が加えられても、電話機本体のハンドセット載置台（以降、クレードルと呼ぶ）にハンドセットが載置された状態を保持することができる電話機に関するものである。
【背景技術】
【０００２】
従来、卓上等での使用を想定している固定電話の場合、電話機は電話機本体とハンドセットから構成され、通常は電話台等の平らな場所で使用される。これに対して、船舶や電車、飛行機、自動車等の移動体で使用する場合、振動や大きな揺れが想定され、電話機本体を固定的に取り付けた上で、ハンドセットが電話機本体から脱落し難い構造にする必要がある。また、移動体ではスペースに余裕が無く、垂直な壁や天井、斜めの柱等にも取り付けなければならない場合もある。これを解決する技術として、例えば、自動車電話において、ハンドセットに係止凹部を形成して、該凹部にクレードルの突起とフックを嵌め込む構造が知られている（例えば、特許文献１参照）。
【先行技術文献】
【特許文献】
【０００３】
【特許文献１】特開平５−２６８３０９号公報
【考案の概要】
【考案が解決しようとする課題】
【０００４】
しかしながら、特許文献１に記載された前記技術では、クレードルの受話器載置部上下にある突起とバネで付勢したフックに対し、ハンドセット受話器部の上下にある係止凹部と係止孔とがそれぞれ係合し、バネの付勢で受話器を挟み付けることによりハンドセット全体を保持する構造のため、大きな振動に対する脱落防止性能は十分とは言えない。さらに、ハンドセットの自重がクレードルの載置面に全く加わらない天井やオーバーハングした壁等での使用においては、ハンドセットの自重自体の他に大きな振動、揺れによる力が加わるので、ハンドセットがクレードルから脱落、落下し易く、実用的でないという問題があった。
【０００５】
そこで、本考案が解決しようとする課題は、壁、柱は勿論、天井やオーバーハングした壁等にも取り付けることができ、大きな振動、揺れに対してハンドセットの脱落防止性能を高めるための機構を有する電話機を提供することにある。
【課題を解決するための手段】
【０００６】
上記課題を解決するために、本考案は、ハンドセットを載置するクレードルを備える電話機本体とハンドセットとからなる電話機において、前記クレードルの受話器載置部上端及び送話器載置部下端に凸設した水平で帯状のレールを形成し、前記ハンドセットの上端部外側面及び下端部外側面に凹設した水平な挿嵌溝を形成し、前記受話器載置部上端のレールの基部から先端部までの長さは、前記送話器載置部下端のレールの基部から先端部までの長さより長く、前記クレードルに形成されたレールの各々と前記ハンドセットに形成された挿嵌溝の各々とが係合して前記ハンドセットを前記クレードルに固定することを特徴とする。
【０００７】
また、本考案は、前記クレードルの受話器載置部に設けられるフックスイッチは、前記ハンドセット挿入方向手前を低位とし、奧に進むにつれて高位となる傾斜面もしくは凸面を有することを特徴とする。
【考案の効果】
【０００８】
本考案によれば、ハンドセットはハンドセット下端部の左右両端部二箇所、及びハンドセット上端部の一箇所を挿嵌溝とレールにより支持されるので、ハンドセットは載置面に垂直方向と、載置面内の上下方向及び左右方向からの力や振動、揺れに対して脱落せず、電話機本体に固定することができる。このため、電話機を壁、柱は勿論、天井やオーバーハングした壁等に取り付けてもハンドセット載置状態を安定に保持することができる。
【図面の簡単な説明】
【０００９】
【図１】本考案に係るハンドセットの構造図。同図（Ａ）は左側面図、同図（Ｂ）は平面図である。
【図２】本考案に係るクレードルの構造図。同図（Ａ）は左側面図、同図（Ｂ）は平面図である。
【図３】ハンドセットをクレードルに固定させる手順を説明するための図であり、ハンドセットをハンドセットガイド及びクレードル上端部に載せた状態を示す。
【図４】フックスイッチの構造図。同図（Ａ）は平面図、同図（Ｂ）は右側面図、同図（Ｃ）は正面図である。
【図５】ハンドセットをクレードルに固定させる手順を説明するための図であり、ハンドセットの挿嵌溝１１、１３とクレードルのレール２１、２３がそれぞれ係合した状態を示す。同図（Ａ）は左側面図、同図（Ｂ）は平面図、同図（Ｃ）は同図（Ｂ）の下方の係合部を抽出した平面図である。
【図６】ハンドセットをクレードルに固定させる手順を説明するための図であり、ハンドセットの挿嵌溝１１、１２、１３とクレードルのレール２１、２２、２３がそれぞれ係合し、ハンドセットがクレードルに固定された状態を示す。同図（Ａ）は左側面図、同図（Ｂ）は平面図である。
【考案を実施するための形態】
【００１０】
本考案に係るハンドセットの構造を図１に示す。ハンドセット１には、ハンドセット１の受話器の上端部側面に挿嵌溝１１、ハンドセット１の送話器の下端部側面の左右両端部に挿嵌溝１２及び挿嵌溝１３が形成されている。１４はハンドセット１の受話器面、１５は送話器面である。
【００１１】
本考案に係るクレードルの構造を図２に示す。クレードル２には、受話器載置部上端にレール２１、送話器載置部下端にレール２２及びレール２３が形成されている。また、ハンドセット１の収納を容易にするためのハンドセットガイド２６が突き出ている。ハンドセットガイド２６の左端には、ハンドセット載置部上下側面及び右側面のような壁面は存在せず、ハンドセット１をクレードル２の左から受話器載置面２４及び送話器載置面２５に対して平行に挿入することが可能である。また、レール２１の基部から先端部までの長さは、レール２３の基部から先端部までの長さより長く、レール２３の基部から先端部までの長さは、レール２２の基部から先端部までの長さより長い。さらに、挿嵌溝１１の深さはレール２１の基部から先端部までの長さより僅かに深く、挿嵌溝１２、１３の深さは、レール２３の基部から先端部までの長さより僅かに深い。
【００１２】
ハンドセット１をクレードル２に載置するため、ハンドセット１をクレードル２のハンドセットガイド２６に載せた状態を図３に示す。ハンドセット１の受話器側を、クレードル２のレール２１の左手側に近接させる。２９はフックスイッチである。その細部構造を図４に示す。同図（Ｃ）の正面図で明らかなように、フックスイッチ２９はハンドセットガイド２６側に向かって傾斜した傾斜面３１を有する。
【００１３】
図３の状態から、クレードル２のレール２１をハンドセット１の挿嵌溝１１が挟み込みながら、ハンドセット１を右方へ水平に移動させる。ハンドセット１の受話器の右側面がフックスイッチ２９に当たるが、フックスイッチ２９は挿入方向に対して手前が低位、奧が高位である傾斜面３１を有しており、ハンドセット１の受話器の右側面縁辺がフックスイッチ２９の傾斜面３１に接触した状態でさらにハンドセット１を右へ移動（奥に進む）しようとすると、フックスイッチ２９の傾斜面３１に垂直な分力によってフックスイッチ２９が押し下げられ、受話器面１４の下に入り込む。こうしてハンドセット１をクレードル２の右側面内壁２７、２８に当たるまで移動させることができる。その状態を図５に示す。ハンドセット１の挿嵌溝１１とクレードル２のレール２１は深く係合し、ハンドセット１の挿嵌溝１３とクレードル２のレール２３は浅く係合するが、ハンドセット１の挿嵌溝１２とクレードル２のレール２２は係合しない。
【００１４】
図５の状態において、ハンドセット１を手前に引き、クレードル２の下端部内壁に当たるまで下方へ水平に移動させると、ハンドセット１の挿嵌溝１２とクレードル２のレール２２が係合し、ハンドセット１の挿嵌溝１３とクレードル２のレール２３は浅い係合状態から深い係合状態に移行する。クレードル２のレール２１の基部から先端部までの長さは、クレードル２のレール２２及びレール２３の基部から先端部までの長さより長い構造となっているため、ハンドセット１の下方移動量よりレール２１の長さの方が大きく、挿嵌溝１１の内部にクレードル２のレール２１が係合した状態を維持する。この状態を図６に示す。電話機本体を垂直な壁面やオーバーハングした壁面などに取り付けた場合は、ハンドセット１には鉛直下方に重力が加わるので、図５の状態からハンドセット１を保持している手を離すだけでも図６の状態に移行する。
【００１５】
図６の状態において、ハンドセット１に対し載置面内上下方向に力が加わった場合は、ハンドセット１の挿嵌溝１１、１２、１３とクレードル２のレール２１、２２、２３の係合、及びクレードル２の上下内壁面によってハンドセット１を支持し、かつその上下移動を押さえる。ハンドセット１がクレードル２の上端部に突き当たった場合でも、ハンドセット１の挿嵌溝１１とクレードル２のレール２１の係合状態のみならず、ハンドセット１の挿嵌溝１３とクレードル２のレール２３の係合状態が維持されるので、電話機本体が天井に取り付けられていてもハンドセットは脱落しない。図６の状態において、ハンドセット１に対し載置面内左方向に力が加わった場合は、挿嵌溝１１、１２、１３とレール２１、２２、２３の係合によりハンドセット１を支持し、かつ、ハンドセット１の挿嵌溝１２とクレードル２のレール２２の係合によってハンドセット１の左方移動を押さえる。ハンドセット１に対し載置面内右方向に力が加わった場合は、同様に挿嵌溝１１、１２、１３とレール２１、２２、２３の係合によりハンドセット１を支持し、かつクレードル２の右側面内壁２７、２８によってハンドセット１の右方移動を押さえる。したがって、ハンドセット１にどの方向から力が加わっても、ハンドセット１は脱落せず、天井やオーバーハングした壁面に電話機本体を取り付けても、ハンドセット１は落下せずにクレードル２に載置された状態を保持することができる。
【００１６】
図６の状態において、ハンドセットをクレードルから取り外すには、前記の操作を逆順に実施することで可能である。
【符号の説明】
【００１７】
１                  ハンドセット
２                  クレードル
１１、１２、１３    挿嵌溝
１４                受話器面
１５                送話器面
２１、２２、２３    レール
２４                受話器載置面
２５                送話器載置面
２６                ハンドセットガイド
２７、２８          右側面内壁
２９                フックスイッチ
３１                傾斜面
【図１】
0003164264.tif 000003
【図２】
0003164264.tif 000004
【図３】
0003164264.tif 000005
【図４】
0003164264.tif 000006
【図５】
0003164264.tif 000007
【図６】
0003164264.tif 000008